(57)【要約】【課題】薬液塗布具に吸収された薬液を容易かつ十分に液切れさせることができる、使い捨て用の薬液容器を提供する。【解決手段】シート面の外側縁部を鍔部５としてその内側に、底面２Ａ及び周壁部２Ｂを有する凹部２を設け、この凹部２内に、薬液溜部３と、この薬液溜部３に向かって下り傾斜してなる傾斜部４Ａに複数の突部乃至段差部４Ｂが設けられた液切部４とを備えた薬液容器を提案する。【選択図】図１
2010200809.tif 000002
【特許請求の範囲】
【請求項１】
プラスチックシートから成形されてなる使い捨て用の薬液容器であって、
薬液溜部と、この薬液溜部に向かって下り傾斜してなる傾斜部に複数の突部乃至段差部が設けられた液切部とを備えた薬液容器。
【請求項２】
液切部は、複数の段差が勾配をもって階段状に連設されてなる構成を備えたものである請求項１記載の薬液容器。
【請求項３】
液切部は、薬液溜部に向かって傾斜してなる傾斜部上に、該傾斜部の横側から中央に向かって下り傾斜した複数の突条部が、該傾斜部の傾斜方向に間隔をおいて設けられてなる構成を備えたものである請求項１記載の薬液容器。
【請求項４】
シート面の外側縁部を鍔部とし、その内側に薬液溜部と液切部とが設けられてなる構成を備えた請求項１〜３の何れかに記載の薬液容器。
【請求項５】
請求項４に記載の薬液容器を、その鍔部を接続部として連設する共に、該接続部に分断可能な切離線を形成することで、切り離し可能な複数の薬液容器を一体に備えた薬液容器セット。
【請求項６】
プラスチックシートからなるシート面内に間隔をあけて複数の凹部を設け、各凹部内に薬液溜部と液切部とを設ける共に、隣接する凹部間のシート面に分断可能な切離線を形成することで、切り離し可能な複数の薬液容器を一体に備えた薬液容器シート。
【請求項７】
請求項１〜６の何れかに記載の薬液溜部内に薬液が収納され、該薬液溜部は蓋材でシールされてなる構成を備えた薬液収納容器。
【発明の詳細な説明】
【技術分野】
【０００１】
本発明は、外用消毒剤や外皮消毒剤などの薬液を溜める或いは収納するための薬液容器であって、詳しくはプラスチックシートから成形してなる使い捨て用の薬液容器に関する。
【背景技術】
【０００２】
外用消毒剤や外皮消毒剤などの薬液を患部に塗布する際には、ボトル状の容器に収容された薬液を、使い捨て用の小さなカップ状の薬液容器に移し替えて使用するか（例えば特許文献１参照）、或いは、予め一回分の使用量に小分けした薬液を封入した薬液収納容器（例えば特許文献２参照）が使用されている。
【０００３】
【特許文献１】特開２０００−２２５１２６号公報（特にその図４）
【特許文献２】特許３６３５６４７号公報（特にその図１（Ｂ）及び図２（Ｂ））
【発明の概要】
【発明が解決しようとする課題】
【０００４】
上記のような薬液容器を使用して薬液を患部に塗布する場合、薬液容器の薬液溜部内に薬液を注ぎ入れ、綿棒などの薬液塗布具の薬液塗布部（綿棒で言えば、先端部の綿球部）を、薬液溜部内の薬液に浸して薬液塗布部に吸収させ、患部に薬液を塗布する。この際、薬液塗布部が必要以上の薬液を含んでいると、薬液が垂れたり、必要以上に薬液が患部に付着したり、或いは薬液が最終的に不足したりすることがあるため、通常は、薬液溜部の内側上縁部などに薬液塗布部を擦り付けて余分な薬液を切ってから塗布することが行われている。しかし、薬液容器が小さいこともあって、容易に液切れさせることが難しいという課題を抱えていた。
【０００５】
そこで本発明は、薬液塗布具の薬液塗布部に吸収された薬液を容易に液切れさせることができる、新たな薬液容器を提供せんとするものである。
【課題を解決するための手段】
【０００６】
本発明は、プラスチックシートから成形されてなる使い捨て用の薬液容器であって、薬液溜部と、この薬液溜部に向かって下り傾斜してなる傾斜部に複数の突部乃至段差部が設けられた液切部とを備えた薬液容器を提案するものである。
【０００７】
このような構成を備えた薬液容器であれば、薬液溜部内に薬液を注ぎ入れ、綿棒などの薬液塗布具の薬液塗布部（綿棒で言えば、先端部の綿球部）を薬液に浸して薬液塗布部に吸収させた後、薬液塗布部を液切部に擦り付けることで余分な薬液を容易に液切れさせることができるから、患部に必要十分な量の薬液を塗布することができる。
また、薬液溜部に向かって下り傾斜するように液切部の傾斜部を設けたことで、この傾斜部に沿うようにして薬液塗布具の薬液塗布部を薬液に浸すことができるから、薬液溜部がたとえ小さくても薬液塗布部を十分に薬液に浸すことができる。よって、薬液溜部を小さくすることができるから、使用後に過量な薬液が残ることを無くすことができる。
【図面の簡単な説明】
【０００８】
【図１】本発明の薬液容器の一例を示した図であり、（Ａ）は斜視図、（Ｂ）はＢ−Ｂ線断面図である。
【図２】図１とは異なる薬液容器の一例を示した図であり、（Ａ）は斜視図、（Ｂ）はＢ−Ｂ線断面図である。
【図３】図１及び２とは異なる薬液容器の一例を示した図であり、（Ａ）は斜視図、（Ｂ）はＢ−Ｂ線断面図である。
【図４】図１〜図３の変形例としての薬液容器の一例を示した斜視図である。
【図５】図１〜図４の変形例としての薬液容器の一例を示した斜視図である。
【図６】図１〜図５の変形例としての薬液容器の変形例を示した側断面図である。
【図７】図１〜図６の変形例としての薬液容器の変形例を示した側断面図である。
【図８】薬液容器の使用状態、特に液切れを行う際の使用状態の一例を示した図である。
【図９】切り離し可能な複数の薬液容器を一体に連設してなる薬液容器セットの一例を示した平面図である。
【図１０】シート面内に複数の薬液容器を連設してなる薬液容器シートの一例を示した平面図である。
【図１１】薬液容器の使用方法として、薬液を封入した薬液収納容器の一例を示した側断面図である。
【図１２】薬液容器における各部の寸法や角度を説明するための図であり、（Ａ）、（Ｂ）はそれぞれ別の断面形状を有する薬液容器を示した概略断面図である。
【発明を実施するための形態】
【０００９】
以下、本発明の好適な実施形態について説明する。但し、本発明が下記に説明する実施形態に限定されるものではない。
【００１０】
本実施形態に係る薬液容器１は、プラスチックシートから成形してなる使い捨て用の薬液容器であって、薬液溜部３と液切部４とを備えたものである。
【００１１】
薬液容器１の材質は、特に限定するものではなく、保形性、耐薬品性、並びに薬液の浸透及び揮発を抑えるバリア性などを備えた樹脂であるのが好ましい。中でも、例えばポリスチレン、ポリエチレン、ポリプロピレン、ポリエチレンテレフタレートなどを好ましく用いることができる。
このような樹脂からなるシート乃至フィルムを金型で加熱成形し、各種形状に裁断することにより、より好ましく薬液容器１を作製することができる。
【００１２】
薬液容器１は、例えば図１―５に示すように、プラスチックシートのシート面内に凹部２を設け、この凹部２内に薬液溜部３及び液切部４を設けるようにして形成することができる。
【００１３】
ここで、凹部２は、例えば図１−５に示すように、プラスチックシートのシート面の外側縁部を鍔部５とし、この鍔部５に囲まれた内側に設けることができる。
鍔部５には、蓋部をシールするための突条部を、凹部２を一周囲むように設けることもできる。この場合、鍔部５と蓋部との間に薬液が侵入しないように、凹部２の上縁部、言い換えれば鍔部５の内側縁に沿ってその近傍に設けるのが好ましい。
凹部２の大きさ及び形状は特に制限するものではないが、目安としては、深さ１１ｍｍ〜４４ｍｍ、特に１８ｍｍ〜３０ｍｍを例示することができる。
但し、鍔部５は必ずしも設ける必要はない。
【００１４】
薬液溜部３は、薬液を溜める部分であり、例えば凹部２の一部を薬液溜部３とすることができる。例えば図１−５の例では、凹部２内の底の深い部分が薬液溜部３とされている。
【００１５】
薬液溜部３は、必要十分な量の薬液を溜めることができれば、その大きさ、平面視形状及び側面形状は適宜変形可能である（図１−７参照）。
薬液溜部３の容量の目安としては、０．６ｍＬ〜４５．０ｍＬ、特に２．０ｍＬ〜１２．９ｍＬを例示することができる。
【００１６】
液切部４は、例えば図１−５に示すように、薬液溜部３に向かって下り傾斜して、薬液溜部３の上端部に連続してなる傾斜部４Ａ上に、複数の突部乃至段差部４Ｂを設けて形成することができる。このように液切部４を形成すれば、薬液を含浸させた薬液塗布部を前記突部乃至段差部４Ｂに擦り付けることで余分な薬液を液切れさせることができ、同時に液切れされた余分な薬液を、傾斜部４Ａを伝わせて薬液溜部３内に流れ込ませることができる。
【００１７】
この際、液切部４の傾斜部４Ａの勾配角θは（図１２（Ａ）（Ｂ）参照）、液切れさせ易さと薬液塗布具（例えば綿棒）を薬液溜部３内の薬液に漬け易さとの観点から、５〜８５°、特に１５〜５５°、中でも特に２０〜３５°であるのが好ましい。なお、勾配角θは、漸次変化するものであっても、一定であってもよい。
また、液切部４の張出幅Ｌ、言い換えれば上面視した場合に液切部４が薬液溜部３から張り出した幅は（図１２（Ａ）（Ｂ）参照）、薬液塗布具（例えば綿棒）を薬液溜部３内の薬液に漬ける際のし易さの観点から、１３ｍｍ〜６４ｍｍであるのが好ましく、中でも１５ｍｍ〜５８ｍｍ、その中でも特に２０ｍｍ〜５１ｍｍであるのがより好ましい。
【００１８】
より具体的には、液切部４は、例えば図１に示すように、複数の段差部４Ｂが勾配をもって階段状に連設してなる傾斜部４Ａとして形成することができる。なお、図４―図１２は、図１に示した液切部４の形状を代表例として変形例や利用例等を説明しているが、他の形状の液切部４（例えば図２や図３に示した形状の液切部４）においても同様である。
この際、各段差部４Ｂの高さｈ(図１２（Ａ）参照)は、液切れした後の液溜まりが少ないという観点で、３ｍｍ〜６．５ｍｍが好ましく、特に５ｍｍ〜６ｍｍであるのがより好ましい。
【００１９】
また、液切部４は、例えば図２に示すように、薬液溜部に向かって傾斜してなる傾斜部４Ａ上に、該傾斜部４Ａの横側すなわち左右横側から中央に向かって下り傾斜した複数の突条部４Ｂを、該傾斜部４Ａの傾斜方向に間隔をおいて設けるように形成することができる。
この際、各突条部４Ｂの突出高さｈ’(図１２（Ｂ）参照)は、液切れした後の液溜まりが少ないという観点で、０．５ｍｍ〜５．０ｍｍが好ましく、特に１．５ｍｍ〜２．５ｍｍであるのがより好ましい。
各突条部４Ｂの長さは、液切れした後の液溜まりが少ないという観点で、４ｍｍ〜２５ｍｍが好ましく、特に８ｍｍ〜１６ｍｍであるのがより好ましい。
各突条部４Ｂの幅は、液切れした後の液溜まりが少ないという観点で、０．５ｍｍ〜５．０ｍｍが好ましく、特に１．５ｍｍ〜２．５ｍｍであるのがより好ましい。
傾斜部４Ａの傾斜方向に隣接する突条部４Ｂ、４Ｂの間隔は、液切れした後の液溜まりが少ないという観点で、１ｍｍ〜６ｍｍが好ましく、特に４ｍｍ〜５ｍｍであるのがより好ましい。
傾斜部４Ａの左右方向に隣接する突条部４Ｂ、４Ｂの中央部における間隔は、液切れした後の液溜まりが少ないという観点で、０．５ｍｍ〜５ｍｍが好ましく、特に２ｍｍ〜３ｍｍであるのがより好ましい。
さらに、左右横側から中央に向かって下り傾斜する傾斜角は、液切れした後の液溜まりが少ないという観点で、５°〜４５°が好ましく、特に２５°〜３５°であるのがより好ましい。
【００２０】
さらにまた、液切部４は、例えば図３に示すように、薬液溜部３に向かって傾斜してなる傾斜部４Ａ上に、半球状の複数の突部４Ｂを間隔をおいて設けるように形成することができる。
但し、突部４Ｂの形状は任意であり、例えばくさび状、角錐状など任意の形状に形成することができる。
この際、各突条部４Ｂの突出高さｈ’(図１２（Ｂ）参照)は、液切れした後の液溜まりが少ないという観点で、０．５ｍｍ〜５．０ｍｍが好ましく、特に１．５ｍｍ〜２．５ｍｍであるのがより好ましい。
【００２１】
上記のような形状の液切部４の中で、液切れした後に液切部４に液残りが少なく、液切れされた液が薬液溜部３内にスムースに流れ込むという観点からすると、図２に示した形態、すなわち傾斜部４Ａの横側すなわち左右横側から中央に向かって下り傾斜した複数の突条部４Ｂを、該傾斜部４Ａの傾斜方向に間隔をおいて設けてなるものが好ましい。
【００２２】
いずれの形状の液切部４においても、液切部４の平面視形状や、液切部４を設ける位置やその数は適宜変更可能である（図４−５参照）。
また、液切部４は、図１−５に示すように、凹部２の上縁部２ａから適宜長さ下がった位置から設けるようにしてもよいし、図６に示すように、上縁部２ａから設けるようにしてもよい。但し、上縁部２ａへの液はね上がり防止の観点から、凹部２の上縁部２ａから適宜長さ下がった位置から液切部４を設けるのが好ましい。
さらにまた、液切部４は、図７に示すように、凹部２の底面部２Ａから設けることも可能である。この場合、液切部４の中間高さまで薬液を溜めることになるため、薬液溜部３と液切部４の境はない。
【００２３】
薬液容器１は、薬液溜部３内に薬液Ｘを注ぎ入れて、綿棒などの薬液塗布具５０の薬液塗布部５１（綿棒で言えば、先端部の綿球部）を薬液に浸し、図８に示すように、薬液塗布部５１を液切部４に擦り付けることで余分な薬液を容易に液切れさせることができ、患部に必要十分な量の薬液を塗布することができる。
【００２４】
薬液としては、外用消毒剤、外皮消毒剤その他の薬液を使用することができる。例えばポピドンヨード液、アルコール、過酸化水素などの消毒用薬液、ローション、ベビーオイルなどの化粧液、その他液状の薬液、蒸留水などを挙げることができる。但し、これらに限定するものではない。
【００２５】
本発明の薬液容器は、薬液を充填することなく、容器として上市することも可能であるが、図１１に示すように、薬液溜部３内に薬液Ｘを充填し、蓋材２１でシールすることにより、薬液を封入した薬液収納容器２０として上市することも可能である。
この際、蓋材２１としては、その材質を特に限定するものではないが、防水性、耐薬品性を備えている必要はある。例えば、樹脂基材シートのシート面に金属薄膜層を積層してなる複合シートを好ましい一例として挙げることができる。具体的には、ポリエチレン、ポリプロピレン、ポリエチレンテレフタレートなどの樹脂基材シートに、アルミ等の金属を蒸着乃至ラミネートして金属薄膜層を積層してなる複合シートなどを好ましく用いることができる。
また、充填する薬液の量は、患部の種類や大きさ、或いは薬液塗布部収容凹部５の大きさなどにより適宜変更するのが好ましいから、それに合わせて薬液塗布部２の大きさを調整するのが好ましい。
【００２６】
本発明の薬液容器は、複数の薬液容器１を分断可能に連接させて薬液容器セット或いは薬液容器シートとして構成することもできる。
例えば図９に示すように、鍔部５を接続部１１として複数の薬液容器１を連設する共に、該接続部１１に分断可能な切離線１２を設けることで、切り離し可能な複数の薬液容器を一体に接続してなる薬液容器セット１３とすることができる。
【００２７】
また、図１０に示すように、プラスチックシート１５のシート面１５ａ内に上下左右に適宜間隔をあけて複数の凹部２を設け、各凹部２内に薬液溜部３及び液切部４を設ける共に、隣接する凹部２，２間のシート面１５ａに分断可能な切離線１６を設けることにより、シート面１５ａ内に切り離し可能な複数の薬液容器１を備えた薬液容器シート１７とすることもできる。
なお、上記の切離線１２、１６は、ミシン目としてもよいし、溝部としてもよい。
【００２８】
さらにまた、本発明の薬液容器は、上記の凹部２のほかに、綿棒などの薬液塗布具や、ピンセット、ガーゼ、包帯、止血テープなどの医療器具を収容する医療器具収容凹部を別に設けたり、或いは仕切りを形成して設けたりして、医療器具を同時に収容することができる医療用キットとすることも可能である。
【００２９】
（用語の説明）
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含する。
また、本発明における「シート」とは、厚さを特に限定するものではないから、一般には「フィルム」と呼ばれる厚さも包含するものである。
【実施例】
【００３０】
以下、各種試験に基づいて本発明を説明するが、本発明が下記試験例に限定されるものではない。
【００３１】
＜液切れ及び液溜まりの評価試験＞
異なる３つの薬液容器（サンプル）を用意し、綿棒の液切れ具合と液溜まり具合を評価した。
【００３２】
（サンプル）
サンプルとして３つの薬液容器を用意した。
【００３３】
サンプル（Ａ）：図１に示すように、プラスチックシートからなる長方形状のシート面の外側縁部が鍔部５とされ、この鍔部５に囲まれた内側に凹部２が設けられ、その片側は薬液溜部３とされ、他側には、薬液溜部３の上縁部に連続するように液切部４が設けられ、その液切部４は、複数の段差部４Ｂが勾配をもって階段状に連設して傾斜部４Ａとして形成されている。
凹部２の深さ：２５．５ｍｍ
薬液溜部３の容量：５ｍＬ
傾斜部４Ａの勾配角θ：２２．５°
液切部４の張出幅Ｌ：２４ｍｍ
各段差部４Ｂの高さｈ：１．５ｍｍ
【００３４】
サンプル（Ｂ）：図２に示すように、プラスチックシートからなる長方形状のシート面の外側縁部が鍔部５とされ、この鍔部５に囲まれた内側に凹部２が設けられ、その片側は薬液溜部３とされ、他側には、薬液溜部３の上縁部に連続するように液切部４が設けられ、その液切部４は、薬液溜部３に向かって傾斜してなる傾斜部４Ａ上に、該傾斜部４Ａの左右横側から中央に向かって下り傾斜した複数の突条部４Ｂが、該傾斜部４Ａの傾斜方向に間隔をおいて設けられている。
凹部２の深さ：２５．５ｍｍ
薬液溜部３の容量：５ｍＬ
傾斜部４Ａの勾配角θ：２２．５°
液切部４の張出幅Ｌ：２４ｍｍ
各突条部４Ｂの突出高さｈ’：１．５ｍｍ
各突条部４Ｂの長さ：１０．５ｍｍ
突条部４Ｂの幅：１．５ｍｍ
傾斜方向に隣接する突条部４Ｂ、４Ｂの間隔：４．５ｍｍ
左右方向に隣接する突条部４Ｂ、４Ｂの中央部における間隔：２．６ｍｍ
突条部４Ｂの傾斜角：３０°
【００３５】
サンプル（Ｃ）：図３に示すように、プラスチックシートからなる長方形状のシート面の外側縁部が鍔部５とされ、この鍔部５に囲まれた内側に凹部２が設けられ、その片側は薬液溜部３とされ、他側には、薬液溜部３の上縁部に連続するように液切部４が設けられ、その液切部４は、薬液溜部３に向かって傾斜してなる傾斜部４Ａ上に、半球状の複数の突部４Ｂが間隔をおいて設けられている。
凹部２の深さ：２５．５ｍｍ
薬液溜部３の容量：５ｍＬ
傾斜部４Ａの勾配角θ：２２．５°
液切部４の張出幅Ｌ：２４ｍｍ
各突条部４Ｂの突出高さｈ’：１．５ｍｍ
各突条部４Ｂの長さ：１．５ｍｍ
突条部４Ｂの突出高さｈ’：１．５ｍｍ
【００３６】
（試験方法）
薬液溜部内に薬液を充填し、３人の検査員がそれぞれ、綿棒（♯１０５，軸長：１８ｃｍ、綿球部の直径：１５ｍｍ、綿球部の吸液量：４．３０ｍＬ）を薬液溜部内の薬液に２０秒間浸した後、綿棒の綿球を液切部の下端部から上端部まで移動させるようにして擦り付ける作業を３回行い、綿棒の液切れ具合と、液切部における液溜まり具合を下記基準で評価した。
【００３７】
（評価基準）
＝液切れ具合＝
○：綿棒から液が垂れていない。
×：綿棒から液が垂れている。
＝液溜まり具合＝
○：液切部に液残りが少ない。
×：液切部に液残りが多い。
【００３８】
【表１】
2010200809.tif 000003
【００３９】
（考察）
サンプルＣに比べて、サンプルＡ及びＢの方が液切れ具合が良く、中でもサンプルＢは、特に液切れした後の液溜まりが少なくなることが分かった。
【符号の説明】
【００４０】
１，１１  薬液容器
２，１２  凹部
２Ａ，１２Ａ  底面
２Ｂ，１２Ｂ  周壁部
２ａ，１２ａ  上縁部
３，１３  薬液溜部
４，１４  液切部
４Ａ  傾斜部
４Ｂ  突部乃至段差部
５、１５  鍔部
Ｘ  薬液
２１  接続部
２２  切離線
２３  薬液容器セット
２４  リブ
２５  プラスチックシート
２５ａ  シート面
２６  切離線
２７  薬液容器シート
２８  リブ
３０  薬液収納容器
３１  蓋材
５０  薬液塗布具
５１  薬液塗布部
【図１】
2010200809.tif 000004
【図２】
2010200809.tif 000005
【図３】
2010200809.tif 000006
【図４】
2010200809.tif 000007
【図５】
2010200809.tif 000008
【図６】
2010200809.tif 000009
【図７】
2010200809.tif 000010
【図８】
2010200809.tif 000011
【図９】
2010200809.tif 000012
【図１０】
2010200809.tif 000013
【図１１】
2010200809.tif 000014
【図１２】
2010200809.tif 000015